(57)【要約】【課題】振動吸収構造の製造手間を大幅に省くことができるとともに、その構造がしっかりとしてクラブヘッド全体の使用寿命が長いゴルフクラブヘッドを提供することを目的とする。【解決手段】ヘッド本体のクラブフェース側のフェース部が開口してフェース板により被覆されてなる中空構造のゴルフクラブヘッドにおいて、前記フェース板は、裏側の面から裏側へ環状フランジが突出て凹部が形成された打球面板と、打球の衝撃を緩衝するために該環状フランジにより取り囲まれ前記凹部内に装入されるよう前記打球面板に固着された振動吸収板とにより重ねてなっていることを特徴とするゴルフクラブヘッドを提供する。【選択図】図１
0003126136.tif 000002
【実用新案登録請求の範囲】
【請求項１】
ヘッド本体の打球する側のフェース部が開口してフェース板により被覆されてなる中空構造のクラブヘッドにおいて、
前記フェース板は、裏側の面から裏側へ環状フランジが突出て凹部が形成された打球面板と、打球の衝撃を緩衝するために該環状フランジにより取り囲まれ前記凹部内に装入されるよう前記打球面板に固着された振動吸収板とにより重ねてなっていることを特徴とするゴルフクラブヘッド。
【請求項２】
前記凹部は、前記フェース部におけるスイートスポットとなる部位に対応して設けられていることを特徴とする請求項１に記載のゴルフクラブヘッド。
【請求項３】
前記振動吸収板には、第１の定位部が設けられ、
前記打球面板には、前記第１の定位部に対応して該第１の定位部と互いに結合して固定することができるように構造される第２の定位部が設けられていることを特徴とする請求項１または２に記載のゴルフクラブヘッド。
【請求項４】
前記第１の定位部としては、前記振動吸収板に前記打球面板側に向かってねじが貫通する複数の定位孔を設け、
前記第２の定位部としては、前記打球面板の前記凹部に前記複数の定位孔に対応して、それぞれ前記ねじによりねじ止めされるよう雌ねじ付きの複数の立孔が裏側へ突出ていることを特徴とする請求項３に記載のゴルフクラブヘッド。
【請求項５】
前記第１の定位部としては、前記振動吸収板に前記打球面板側に向かって複数の定位孔が貫通して設けられ、
前記第２の定位部としては、前記打球面板の前記凹部に前記複数の定位孔に対応して、それぞれ雄ねじ付きの複数の突起が裏側へ突出し、
また、前記複数の突起がそれぞれ対応する前記定位孔内に挿入されてナット部材により螺合されていることを特徴とする請求項３に記載のゴルフクラブヘッド。
【請求項６】
さらに前記凹部と共に前記振動吸収板を収容する空間を画成するようにその周縁部からフランジが前記凹部側に張り出したキャッププレートを設け、
前記キャッププレートの前記フランジの外周面には、雌ねじ付きの貫通孔が設けられ、
前記振動吸収板の外周面には、前記貫通孔に応じて雌ねじつきの凹穴が設けられ、
また、前記環状フランジの外周面には、前記貫通孔及び前記凹穴に応じて雌ねじ付きの通孔が設けられて、そして、ねじにより前記貫通孔と前記通孔を挿通して前記凹穴にねじ込まれていることを特徴とする請求項１または２に記載のゴルフクラブヘッド。
【請求項７】
さらに前記凹部と共に前記振動吸収板を収容する空間を画成するようにその周縁部からフランジが前記凹部側に張り出したキャッププレートを設け、
前記キャッププレートの前記フランジの内周面には、雌ねじが設けられ、
また、前記環状フランジの外周面には、前記雌ねじに螺合される雄ねじが設けられていることを特徴とする請求項１または２に記載のゴルフクラブヘッド。
【考案の詳細な説明】
【技術分野】
【０００１】
本考案は、ゴルフクラブヘッドに関し、特に打球時の振動、衝撃を吸収する効果が優れたゴルフクラブヘッドに関する。
【背景技術】
【０００２】
従来の金属製ウッドゴルフクラブヘッド１としては、図９、１０に示すように、中空のヘッド本体１１の打球する側が開口１１１にされ、例えば溶接によりボールを打つためのフェース板１２を該開口１１１に被覆してなる構造のものがある。この従来構造は、ヘッドを大幅に軽量化でき、両手の負担を低減することができるが、打球時の振動を吸収するための構造がなく、フェース板１２に生ずる打球衝撃は直接ゴルファーの腕に伝わり、ゴルファーの腕に運動傷害を来たし、ゴルフの楽しみが減殺されてしまう。。
【０００３】
振動吸収機能をそなえたクラブヘッドとしては、図１１に示すものがある（特許文献１）。このクラブヘッド２は、中空構造のヘッド本体２１の打球する側が開口２１１になっていて、例えば溶接によりフェース板２２を該開口２１１に被覆し、ヘッド本体２１内には、フェース板２２側の底部に空洞２３を設け、空洞２３内に所定の粘性を有する半流動性の液体２４を満たした振動吸収手段が設けられている。液体２４の粘性により、クラブヘッドに加わる振動を減衰させることができる。
【０００４】
しかしながら、このクラブヘッド２は、空洞２３内に満たされた液体の粘性によりフェース板２２に加わる衝撃を効果的に減衰させることができるが、フェース板２２による衝撃が繰返し加わり、長期間使用するにつれて空洞２３が破損して液体２４が漏洩する恐れがある。また、この振動吸収手段は液体２４の注入や、底部での溶接など構成の複雑化による製造の手間がかかり、コストアップを招く。更に、所定の粘性をそなえた液体２４の慣性力によりゴルファーのスイングの安定性に影響を及ぼす不具合もある。
【特許文献１】特開２００４−２３６７７１号公報
【考案の開示】
【考案が解決しようとする課題】
【０００５】
本考案は、前記問題点に鑑みてなされたものであり、振動吸収構造の製造手間を大幅に省くことができるとともに、その構造がしっかりしてクラブヘッド全体の使用寿命が長いゴルフクラブヘッドを提供することを目的とする。
【課題を解決するための手段】
【０００６】
前記目的を達成するために、本考案は、ヘッド本体のクラブフェース側のフェース部が開口してフェース板により被覆されてなる中空構造のクラブヘッドにおいて、前記フェース板は、裏側の面から裏側へ環状フランジが突出て凹部が形成された打球面板と、打球の衝撃を緩衝するために該環状フランジにより取り囲まれ前記凹部内に装入されるよう前記打球面板に固着された振動吸収板とにより重ねてなっていることを特徴とするゴルフクラブヘッドを提供する。
【０００７】
そして、前記凹部は、前記フェース部におけるスイートスポットとなる部位に対応して設けられていることが好ましい。
【０００８】
前記振動吸収板には、第１の定位部が設けられ、前記打球面板には、前記第１の定位部に対応して該第１の定位部と互いに結合して固定することができるように構造される第２の定位部が設けられている。
【０００９】
前記第１の定位部としては、前記振動吸収板に前記打球面板側に向かってねじが貫通する複数の定位孔を設け、前記第２の定位部としては、前記打球面板の前記凹部に前記複数の定位孔に対応して、それぞれ前記ねじによりねじ止めされるよう雌ねじ付きの複数の立孔が裏側へ突出ているようにしてもよい。
【００１０】
また、前記第１の定位部としては、前記振動吸収板に前記打球面板側に向かって複数の定位孔が貫通して設けられ、前記第２の定位部としては、前記打球面板の前記凹部に前記複数の定位孔に対応して、それぞれ雄ねじ付きの複数の突起が裏側へ突出し、また、前記複数の突起がそれぞれ対応する前記定位孔内に挿入されてナット部材により螺合されているようにしてもよい。
【００１１】
前記構成において、さらに前記凹部と共に前記振動吸収板を収容する空間を画成するようにその周縁部からフランジが前記凹部側に張り出したキャッププレートを設け、前記キャッププレートの前記フランジの外周面には、雌ねじ付きの貫通孔が設けられ、前記振動吸収板の外周面には、前記貫通孔に応じて雌ねじつきの凹穴が設けられ、また、前記環状フランジの外周面には、前記貫通孔及び前記凹穴に応じて雌ねじ付きの通孔が設けられて、そして、ねじにより前記貫通孔と前記通孔を挿通して前記凹穴にねじ込まれているようにしてもよい。
【００１２】
前記構成において、さらに前記凹部と共に前記振動吸収板を収容する空間を画成するようにその周縁部からフランジが前記凹部側に張り出したキャッププレートを設け、前記キャッププレートの前記フランジの内周面には、雌ねじが設けられ、また、前記環状フランジの外周面には、前記雌ねじに螺合される雄ねじが設けられているようにしてもよい。
【考案の効果】
【００１３】
本考案のクラブヘッドによれば、液体の粘性によらずに簡単な振動吸収構造により打球による振動を緩衝する機能を果すことができ、従来例の振動吸収構造の破損による液体漏れもなくなり、使用寿命を延ばすことができる。
【００１４】
また、前記フェース板は、打球面板と打球の衝撃を緩衝するために前記各螺合方式で前記打球面板に固着された振動吸収板とにより重ねてなり、デザインに応じて前記各螺合方式を適当に応用することができるため、その構造がしっかりとし、簡単に装着されることができ、製造手間は少なくコストの低減にもつながる。
【考案を実施するための最良の形態】
【００１５】
以下、図面を参照しながら本考案の実施形態を説明する。
図１は、本考案にかかるゴルフクラブヘッドの第１の実施形態の分解斜視図である。図２は、図１に対応して示す部分縦断面図である。図示のように、このクラブヘッドは、ヘッド本体５のクラブフェース側のフェース部５０が開口して例えば溶接の方式でフェース板６により被覆されてなる中空構造のウッド型のものである。
【００１６】
フェース板６は、打球面板６１と、打球面板６１に固着された振動吸収板６２とにより重ねてなっている。
【００１７】
打球面板６１は、約０.５ｍｍの厚さを有するチタン合金からなるものであり、裏側の面６１０から裏側へ環状フランジ６１１が突出てフェース部５０におけるスイートスポットとなる部位に対応して凹部６１２が形成されている。
【００１８】
振動吸収板６２は、高弾性の炭素繊維からなるものであり、打球の衝撃を緩衝するために該環状フランジ６１１により取り囲まれ凹部６１２内に装入されるよう打球面板６１に固着されている。
【００１９】
本実施形態では、振動吸収板６２に打球面板６１側に向かってねじ６２１が貫通する４の定位孔６２０が設けられ、打球面板６１の凹部６１２に４の定位孔６２０に対応してそれぞれねじ６２１によりねじ止めされるよう雌ねじ６１３ａ付きの４の立孔６１３が裏側へ突出ている。
【００２０】
前記構成により、振動、衝撃を緩衝することができる上、簡単に装着されることができ製造手間は少なく、耐用期間も長くなる。
【００２１】
図３は、第１の実施形態の変形例の分解斜視図である。図４は、図３に対応して示す部分縦断面図である。図示のように、本変形例の構造はほぼ第１の実施形態のと同じだが、その相違点は、振動吸収板６２Ａに打球面板６１Ａ側に向かって４の定位孔６２０Ａが貫通して設けられ、打球面板６１Ａの凹部６１２Ａに４の定位孔６２０Ａに対応してそれぞれ雄ねじ６１３ｂ付きの４の突起６１３Ａが裏側へ突出し、また、４の突起６１３Ａがそれぞれ対応する定位孔６２０Ａ内に挿入されてナット部材６１４Ａにより螺合されていることにある。
【００２２】
前記構成により、振動、衝撃を緩衝することができる上、簡単に装着されることができ製造手間は少なく、耐用期間も長くなる。
【００２３】
図５は、本考案にかかるゴルフクラブヘッドの第２の実施形態の分解斜視図である。図６は、図５に対応して示す部分縦断面図である。図示のように、このクラブヘッドは、ヘッド本体５のクラブフェース側のフェース部５０が開口して例えば溶接の方式でフェース板６Ｂにより被覆されてなる中空構造のウッド型のものである。
【００２４】
フェース板６Ｂは、打球面板６１Ｂと、打球面板６１Ｂに固着された振動吸収板６２Ｂとにより重ねてなっている。
【００２５】
打球面板６１は、チタン合金からなるものであり、裏側の面６１０Ｂから裏側へ環状フランジ６１１Ｂが突出てフェース部５０におけるスイートスポットとなる部位に対応して凹部６１２Ｂが形成されている。
【００２６】
振動吸収板６２Ｂは、高弾性の炭素繊維からなるものであり、打球の衝撃を緩衝するために該環状フランジ６１１Ｂにより取り囲まれ凹部６１２Ｂ内に装入されるよう打球面板６１Ｂに固着されている。
【００２７】
さらに凹部６１２Ｂと共に振動吸収板６２Ｂを収容する空間を画成するようにその周縁部からフランジ６３０が凹部６１２Ｂ側に張り出したキャッププレート６３を設け、且つ該キャッププレート６３のフランジ６３０の外周面には、雌ねじ付きの４の貫通孔６３１が設けられている。
【００２８】
振動吸収板６２Ｂの外周面６２０Ｂには、４の貫通孔６３１に応じて雌ねじつきの４の凹穴６２１Ｂが設けられ、また、環状フランジ６１１Ｂの外周面６１１ａには、貫通孔６３１及び凹穴６２１Ｂに応じて雌ねじ付き４の通孔６１１ｂが設けられて、そして、４のねじ６４により貫通孔６３１と通孔６１１ｂを挿通して凹穴６２０Ｂにねじ込まれている。
【００２９】
前記構成により、振動、衝撃を緩衝することができる上、簡単に装着されることができ製造手間は少なく、耐用期間も長くなる。
【００３０】
図７は、第２の実施形態の変形例の分解斜視図である。図８は、図７に対応して示す部分縦断面図である。図示のように、本変形例の構造はほぼ第２の実施形態のと同じだが、その相違点は、キャッププレート６３Ｃのフランジ６３０Ｃの内周面には、雌ねじ６３１Ｃが設けられ、また、環状フランジ６１１Ｃの外周面６１１ｃには、雌ねじ６３１Ｃに螺合される雄ねじ６１１ｄが設けられていることにある。
【００３１】
前記構成により、振動、衝撃を緩衝することができる上、簡単に装着されることができ製造手間は少なく、耐用期間も長くなる。
【００３２】
以上、本考案の好適な実施形態について説明したが、本考案は前記実施形態、変形例に限定して狭義に解釈されるものではなく、例えば前記実施形態、変形例のクラブヘッドは、ウッド型に適用されたのを示しているが、これに限らず、パター型及びアイアン型に適用されることもできる。なお、前記実施形態、変形例において螺合のために設けられた部材は４つとして例示しているが、これに限らず、打球面板と振動吸収板との間の固着をしっかりとさせることができるなら適当にその個数を決めればよい。即ち本考案の精神の範囲内において種々の変形や変更が可能である。
【産業上の利用可能性】
【００３３】
以上説明したように、本考案のゴルフクラブヘッドによれば、振動吸収構造の製造手間を大幅に省き、コストを低減させることができるとともに、その構造がしっかりとして使用寿命を延ばすことができる。
【図面の簡単な説明】
【００３４】
【図１】本考案にかかるゴルフクラブヘッドの第１の実施形態の分解斜視図。
【図２】図１に対応して示す部分縦断面図。
【図３】第１の実施形態の変形例の分解斜視図。
【図４】図３に対応して示す部分縦断面図。
【図５】本考案にかかるゴルフクラブヘッドの第２の実施形態の分解斜視図。
【図６】図５に対応して示す部分縦断面図
【図７】第２の実施形態の変形例の分解斜視図。
【図８】図７に対応して示す部分縦断面図。
【図９】従来ゴルフクラブヘッドの一例の分解斜視図。
【図１０】図９に対応して示す縦断面図。
【図１１】従来ゴルフクラブヘッドの他の例の縦断面図。
【符号の説明】
【００３５】
５    ヘッド本体
５０    フェース部
６、６Ａ、６Ｂ、６Ｃ    フェース板
６１、６１Ａ、６１Ｂ   打球面板
６１０、６１０Ａ、６１０Ｂ    （打球面板）裏側の面
６１１、６１１Ａ、６１１Ｂ、６１１Ｃ    環状フランジ
６１１ａ、６１１ｃ    （環状フランジの）外周面
６１１ｂ    通孔
６１１ｄ    雄ねじ
６１２、６１２Ａ、６１２Ｂ    凹部
６１３    立孔
６１３Ａ    突起
６１３ａ    雌ねじ
６１３ｂ    雄ねじ
６１４Ａ    ナット部材
６２、６２Ａ、６２Ｂ    振動吸収板
６２０、６２０Ａ    定位孔
６２０Ｂ    （振動吸収板の）外周面
６２１、６４    ねじ
６２１Ｂ    凹穴
６３、６３Ｃ    キャッププレート
６３０、６３０Ｃ    フランジ
６３１    貫通孔
６３１Ｃ    雌ねじ
【図１】
0003126136.tif 000003
【図２】
0003126136.tif 000004
【図３】
0003126136.tif 000005
【図４】
0003126136.tif 000006
【図５】
0003126136.tif 000007
【図６】
0003126136.tif 000008
【図７】
0003126136.tif 000009
【図８】
0003126136.tif 000010
【図９】
0003126136.tif 000011
【図１０】
0003126136.tif 000012
【図１１】
0003126136.tif 000013